(57)【特許請求の範囲】
【請求項１】
少なくとも１個のタッチボタンにより構成し、
該タッチボタンはタッチパネルを備える押圧平板、接触スイッチ、底台、複数の平衡部品により組成し、
該押圧平板は該タッチパネル上を複数の押圧区に区分し、しかも異なる位置を押圧すると異なる出力信号を発生し、該押圧平板の底面には複数の第一位置制限部品を設置し、２個の異なる軸方向により排列し、しかも該各軸方向Ｘ、Ｙにはそれぞれ少なくとも１個の第一位置制限部品を設置し、
該接触スイッチは常態的に該押圧平板の底面を押し上げ、
該底台上には複数の第二位置制限部品を設置し、２個の異なる軸方向により排列し、該各軸方向にはそれぞれ少なくとも１個の第二位置制限部品を設置し、
該複数の平衡部品は２個の異なる軸方向の上に分布し、該各平衡部品は逆Ｕ字型を呈する部品で、その上端の長棒と末端の突出端はそれぞれ該第一位置制限部品と該第二位置制限部品中に係合し、該第一、二位置制限部品中には少なくとも１個の水平溝槽を備え、これにより該平衡部品は該押圧平板に平行にスライド移動を行い、
上記部品の組成により、該押圧平板上のいかなる位置を押圧しようとも、該平衡部品は安定的な垂直上下作動を保持し、該接触スイッチを触動することを特徴とする多軸平行タッチボタンが構成するキーボード装置。
【請求項２】
前記複数の平衡部品は双軸方向で分布し、十字型交差排列を呈することを特徴とする請求項１記載の多軸平行タッチボタンが構成するキーボード装置。
【請求項３】
前記複数の平衡部品は双軸方向で分布し、Ｌ字型排列を呈することを特徴とする請求項１記載の多軸平行タッチボタンが構成するキーボード装置。
【請求項４】
前記複数の平衡部品は双軸方向で分布し、井字型交差排列を呈することを特徴とする請求項１記載の多軸平行タッチボタンが構成するキーボード装置。
【請求項５】
前記複数の平衡部品は双軸方向で分布し、Ｈ字型排列を呈することを特徴とする請求項１記載の多軸平行タッチボタンが構成するキーボード装置。
【請求項６】
前記平衡部品は金属棒により製造することを特徴とする請求項１記載の多軸平行タッチボタンが構成するキーボード装置。
【請求項７】
前記接触スイッチは弾性部品で、弾性圧迫空間を備えることを特徴とする請求項１記載の多軸平行タッチボタンが構成するキーボード装置。
【請求項８】
前記接触スイッチは押圧スイッチであることを特徴とする請求項１記載の多軸平行タッチボタンが構成するキーボード装置。
【請求項９】
前記第一位置制限部品は定点係合槽で、それは陥没した位置制限部を備え、これにより該平衡部品の長棒はその内部に係合し、回転の位置制限を行うことを特徴とする請求項１記載の多軸平行タッチボタンが構成するキーボード装置。
【請求項１０】
前記第一位置制限部品はスライド移動係合槽で、それは水平溝槽を備え、これにより該平衡部品の突出端はその内部に係合し、スライド移動作動を行うことを特徴とする請求項１記載の多軸平行タッチボタンが構成するキーボード装置。
【請求項１１】
前記第二位置制限部品は定点係合槽で、それは陥没した位置制限部を備え、これにより該平衡部品の長棒はその内部に係合し、回転の位置制限を行うことを特徴とする請求項１記載の多軸平行タッチボタンが構成するキーボード装置。
【請求項１２】
前記第二位置制限部品はスライド移動係合槽で、それは水平溝槽を備え、これにより該平衡部品の突出端はその内部に係合し、スライド移動作動を行うことを特徴とする請求項１記載の多軸平行タッチボタンが構成するキーボード装置。
【請求項１３】
前記複数の平衡部品は該押圧平板と該底台の間に設置し、内、少なくとも１個の平衡部品は上端の長棒により該底台の第二位置制限部品に係合し、その末端の突出端は該押圧平板下方の第一位置制限部品に係合し、これにより該タッチボタンの総重量を均一に分担することを特徴とする請求項１記載の多軸平行タッチボタンが構成するキーボード装置。
【請求項１４】
前記複数の平衡部品において、少なくとも２個の平衡部品は相互に交差し、しかも異なる軸方向で排列し、内、１個の平衡部品はその上端の長棒により該底台の第二位置制限部品に係合し、その末端の突出端は該押圧平板下方の第一位置制限部品に係合し、もう１個の平衡部品はその上端の長棒により該押圧平板下方の第一位置制限部品に係合し、その末端の突出端は該底台の第一位置制限部品に係合し、こうして活動時の相互干渉を回避可能であることを特徴とする請求項１記載の多軸平行タッチボタンが構成するキーボード装置。
【発明の詳細な説明】
【技術分野】
【０００１】
本発明は多軸平行タッチボタンが構成するキーボード装置に関する。特に押圧安定性を備えたタッチボタンにより構成するキーボード装置で、これにより使用者はタッチボタン上のいかなる位置を押圧しようとも、押圧の安定性を保持することができ、タッチボタン押圧時の揺れ現象発生を防止することができ、こうしてキーボード装置は信号を正確に出力することができる多軸平行タッチボタンが構成するキーボード装置に係る。
【背景技術】
【０００２】
コンピュータテクノロジーの進歩で、人々の生活はますます広い範囲を含むようになっており、各種新型の入力方式（音声入力、手書き入力など）も絶えず開発されている。内、最も人類のニーズに符合した入力インターフェースはやはりコンピュータキーボードを主とするもので、それは複数のボタンにより組成する。その構造はキーキャップの底部中央にキー柱を設置し、これにより導電ゴムを押し、こうして該導電ゴムと薄膜回路は接続し信号の伝送を行うものである。しかし、急いでキー入力を行う時には、使用者がキーキャップの辺縁或いは側角だけしか押さないことにより、キー柱がスムーズに回路を押せず、正確に入力操作が行われないことがある。上記問題を解決するため、業界では様々な方案を提出して来た。例えば、特許文献１（以下、前案と略称）では、交差方式を利用しキーキャップの４個の端点をそれぞれ連接し、公知構造において発生する欠点を解決している。
【０００３】
該引用例はキーボードのボタンが押される時、キーキャップを押す圧力が不適当になる状況の発生を回避することはできるが、その構造は非常に煩雑で、生産における不便を招いている。さらに複数のボタン組成部品も極めて多く、その歩留りを低くする要因となっている。
【０００４】
一方、ボタンの構造はタッチパネルにも広く使用され、大きな利便性をもたらしている。しかもその使用機能は増加している最中で、タッチ制御式のボタンにおけるタッチパネルの使用面積もそれに従い拡大している。しかし、タッチパネル下方の作動部品は、きちんと対応させ配置しなければ、該タッチパネル上の各異なるプッシュ区の感知力量押圧が不均一になるという問題が存在する。特に、タッチパネル面積の拡大により、押圧時に揺れの状況が発生し、大きな問題となっている。
【０００５】
【特許文献１】台湾特許第８５２０５２８２号明細書
【発明の開示】
【発明が解決しようとする課題】
【０００６】
上記公知構造の欠点に対して、本発明者はその最大の原因が、押圧時にタッチパネル下方の作動部品の下圧力量を支える配置が不均一なことであると発見した。これに鑑み本発明者は多軸平行タッチボタンが構成するキーボード装置の構想を提出し、公知構造に存在する欠点を解決する。
【０００７】
上記課題を解決するため、本発明は下記の多軸平行タッチボタンが構成するキーボード装置を提供する。多軸平行タッチボタンが構成するキーボード装置は少なくとも１個のタッチボタンにより構成し、該タッチボタンはタッチパネルを備える押圧平板、接触スイッチ、底台、複数の平衡部品により組成し、該複数の平衡部品は該押圧平板と該底台の間に係合し、こうして該タッチボタンの総重量を均一に分担することができ、
該押圧平板は底面に複数の第一位置制限部品を設置し、２個の異なる軸方向により排列し、しかも該各軸方向Ｘ、Ｙにはそれぞれ少なくとも１個の第一位置制限部品を設置し、  該接触スイッチは常態的に該押圧平板の底面を押し上げ、
該底台上には複数の第二位置制限部品を設置し、２個の異なる軸方向により排列し、しかも該各軸方向にはそれぞれ少なくとも１個の第二位置制限部品を設置し、
該複数の平衡部品は２個の異なる軸方向の上に分布し、該各平衡部品は逆Ｕ字型を呈する部品で、その上端の長棒と末端の突出端はそれぞれ該第一位置制限部品と該第二位置制限部品中に係合し、該第一、二位置制限部品中には少なくとも１個の水平溝槽を備え、これにより該平衡部品は該押圧平板に平行にスライド移動を行い、
こうして下圧力量を均一に分布させることができ、該タッチボタン上のいかなる位置を押圧しようとも、安定的な垂直上下を保持することができ、該接触スイッチの作動を完全に触動することができ、これにより押圧の安定性を達成し、押圧時に発生する揺れ現象を防止可能で、キーボード装置の正確な信号を出力を確保することができる。
【０００８】
さらに本発明は複数の平衡部品を利用し、多軸方向の分布排列を呈し、これにより該タッチパネル上に設置する複数の押圧区は、使用者が該タッチボタンのタッチパネル上のどの位置の押圧区を押しても、押圧平板全体は下圧の力量を均一に支えることができ、安定垂直上下作動を呈することができ、公知構造に存在する欠点を効果的に解決することができ、特にタッチボタンのタッチパネルが大面積である時には、その押圧操作は揺れ現象発生防止をより発揮することができる。
【０００９】
さらに本発明のタッチパネルの上は複数の押圧区に区分され、該各押圧区はそれぞれ異なる出力信号を操作制御し、電子装置（コンピュータなど）のシステムが定義する文字意義の執行とし、すなわち該タッチボタンのタッチパネル上の各押圧区を押すと、該接触スイッチを正確に触動することができ、様々な信号の出力を行うことができる。
【００１０】
さらに本発明の複数の平衡部品は、双軸方向で分布し、十字型交差排列を呈し、しかもその交差位置の２個の平衡部品中の少なくとも１個の平衡部品は少なくとも１個の凹部を備え、これにより該各平衡部品は同一平面上において作動が可能となり、しかも相互に干渉しない。
【００１１】
さらに本発明の複数の平衡部品は、双軸方向で分布し、Ｌ字型排列を呈する。
【００１２】
さらに本発明の複数の平衡部品は、双軸方向で分布し、井字型交差排列を呈する。
【００１３】
さらに本発明の複数の平衡部品は、双軸方向で分布し、Ｈ字型排列を呈する。
【００１４】
さらに本発明の押圧平板の底面に設置する複数の第一位置制限部品の内の少なくとも１個は定点係合槽で、それは陥没した位置制限部を備え、これにより該平衡部品の長棒はその内部に係合し、回転作動の位置制限を行う。
【００１５】
さらに本発明の押圧平板の底面に設置する複数の第一位置制限部品の内の少なくとも１個はスライド移動係合槽で、それは水平溝槽を備え、これにより該平衡部品の突出端はその内部に係合し、スライド移動作動を行う。
【００１６】
さらに本発明の底台上に設置する複数の第二位置制限部品の内の少なくとも１個はは定点係合槽で、それは陥没した位置制限部を備え、これにより該平衡部品の長棒はその内部に係合し、回転作動の位置制限を行う。
【００１７】
さらに本発明の底台上に設置する複数の第二位置制限部品の内の少なくとも１個ははスライド移動係合槽で、それは水平溝槽を備え、これにより該平衡部品の突出端はその内部に係合し、スライド移動作動を行う。
【００１８】
さらに本発明の多軸平行タッチボタンが構成するキーボード装置の複数の平衡部品において、少なくとも２個の平衡部品は相互に交差し、しかも異なる軸方向で排列し、内、１個の平衡部品はその上端の長棒により該底台の第二位置制限部品に係合し、その末端の突出端は該押圧平板下方の第一位置制限部品に係合し、もう１個の平衡部品はその上端の長棒により該押圧平板下方の第一位置制限部品に係合し、その末端の突出端は該底台の第一位置制限部品に係合し、こうして活動時の相互干渉を回避可能である。さらに本発明の平衡部品は金属棒（針金など）により製造し、平衡部品の剛性を増強することができる。
【課題を解決するための手段】
【００１９】
請求項１の発明は、少なくとも１個のタッチボタンにより構成し、
該タッチボタンはタッチパネルを備える押圧平板、接触スイッチ、底台、複数の平衡部品により組成し、
該押圧平板は該タッチパネル上を複数の押圧区に区分し、しかも異なる位置を押圧すると異なる出力信号を発生し、該押圧平板の底面には複数の第一位置制限部品を設置し、２個の異なる軸方向により排列し、しかも該各軸方向Ｘ、Ｙにはそれぞれ少なくとも１個の第一位置制限部品を設置し、
該接触スイッチは常態的に該押圧平板の底面を押し上げ、
該底台上には複数の第二位置制限部品を設置し、２個の異なる軸方向により排列し、該各軸方向にはそれぞれ少なくとも１個の第二位置制限部品を設置し、
該複数の平衡部品は２個の異なる軸方向の上に分布し、該各平衡部品は逆Ｕ字型を呈する部品で、その上端の長棒と末端の突出端はそれぞれ該第一位置制限部品と該第二位置制限部品中に係合し、該第一、二位置制限部品中には少なくとも１個の水平溝槽を備え、これにより該平衡部品は該押圧平板に平行にスライド移動を行い、
上記部品の組成により、該押圧平板上のいかなる位置を押圧しようとも、該平衡部品は安定的な垂直上下作動を保持し、該接触スイッチを触動することを特徴とする多軸平行タッチボタンが構成するキーボード装置としている。
請求項２の発明は、前記複数の平衡部品は双軸方向で分布し、十字型交差排列を呈することを特徴とする請求項１記載の多軸平行タッチボタンが構成するキーボード装置としている。
請求項３の発明は、前記複数の平衡部品は双軸方向で分布し、Ｌ字型排列を呈することを特徴とする請求項１記載の多軸平行タッチボタンが構成するキーボード装置としている。
請求項４の発明は、前記複数の平衡部品は双軸方向で分布し、井字型交差排列を呈することを特徴とする請求項１記載の多軸平行タッチボタンが構成するキーボード装置としている。
請求項５の発明は、前記複数の平衡部品は双軸方向で分布し、Ｈ字型排列を呈することを特徴とする請求項１記載の多軸平行タッチボタンが構成するキーボード装置としている。
請求項６の発明は、前記平衡部品は金属棒により製造することを特徴とする請求項１記載の多軸平行タッチボタンが構成するキーボード装置としている。
請求項７の発明は、前記接触スイッチは弾性部品で、弾性圧迫空間を備えることを特徴とする請求項１記載の多軸平行タッチボタンが構成するキーボード装置としている。
請求項８の発明は、前記接触スイッチは押圧スイッチであることを特徴とする請求項１記載の多軸平行タッチボタンが構成するキーボード装置としている。
請求項９の発明は、前記第一位置制限部品は定点係合槽で、それは陥没した位置制限部を備え、これにより該平衡部品の長棒はその内部に係合し、回転の位置制限を行うことを特徴とする請求項１記載の多軸平行タッチボタンが構成するキーボード装置としている。
請求項１０の発明は、前記第一位置制限部品はスライド移動係合槽で、それは水平溝槽を備え、これにより該平衡部品の突出端はその内部に係合し、スライド移動作動を行うことを特徴とする請求項１記載の多軸平行タッチボタンが構成するキーボード装置としている。
請求項１１の発明は、前記第二位置制限部品は定点係合槽で、それは陥没した位置制限部を備え、これにより該平衡部品の長棒はその内部に係合し、回転の位置制限を行うことを特徴とする請求項１記載の多軸平行タッチボタンが構成するキーボード装置としている。
請求項１２の発明は、前記第二位置制限部品はスライド移動係合槽で、それは水平溝槽を備え、これにより該平衡部品の突出端はその内部に係合し、スライド移動作動を行うことを特徴とする請求項１記載の多軸平行タッチボタンが構成するキーボード装置としている。
請求項１３の発明は、前記複数の平衡部品は該押圧平板と該底台の間に設置し、内、少なくとも１個の平衡部品は上端の長棒により該底台の第二位置制限部品に係合し、その末端の突出端は該押圧平板下方の第一位置制限部品に係合し、これにより該タッチボタンの総重量を均一に分担することを特徴とする請求項１記載の多軸平行タッチボタンが構成するキーボード装置としている。
請求項１４の発明は、前記複数の平衡部品において、少なくとも２個の平衡部品は相互に交差し、しかも異なる軸方向で排列し、内、１個の平衡部品はその上端の長棒により該底台の第二位置制限部品に係合し、その末端の突出端は該押圧平板下方の第一位置制限部品に係合し、もう１個の平衡部品はその上端の長棒により該押圧平板下方の第一位置制限部品に係合し、その末端の突出端は該底台の第一位置制限部品に係合し、こうして活動時の相互干渉を回避可能であることを特徴とする請求項１記載の多軸平行タッチボタンが構成するキーボード装置としている。
【発明の効果】
【００２０】
上記のように、本発明は押圧安定性を備えたタッチボタンにより構成するキーボード装置で、これにより使用者はタッチボタン上のいかなる位置を押圧しようとも、押圧の安定性を保持することができ、タッチボタン押圧時の揺れ現象発生を防止することができ、こうしてキーボード装置は信号を正確に出力することができる。
【発明を実施するための最良の形態】
【００２１】
図１、図２、図３、図４に示すように、本発明キーボード装置Ｅは少なくとも１個のタッチボタンＥ１により構成する。該タッチボタンＥ１はタッチパネル１１を備える押圧平板１、接触スイッチ３、底台４、複数の平衡部品２により組成する。該複数の平衡部品２は該押圧平板１と該底台４の間に設置する。該押圧平板１は該タッチパネル１１上を複数の押圧区１１１に区分する。該押圧平板１の底面１２には複数の第一位置制限部品１３を設置し、２個の異なる軸方向のＸ、Ｙにより排列する。但し、該各軸方向Ｘ、Ｙにはそれぞれ少なくとも１個の第一位置制限部品１３を設置する。該本発明のタッチパネル１１上は複数の押圧区１１１に区分され、該各押圧区１１１は異なる出力信号を操作制御し、これにより電子装置（コンピュータなど）のシステムが定義する、例えば図１に示す該各押圧区１１１が表す様々な文字の意義などの文字の意義の執行を行う。よって、該押圧平板１のタッチパネル１１上の異なる押圧区１１１を押すと、即、該接触スイッチ３を触動する。これは異なる信号が出力されたことを表す。
【００２２】
該接触スイッチ３は弾性部品で、弾性圧迫空間３０を備える。その頂点部３１は常態的に該押圧平板１の底面１２を押し上げ、それを上方へと向わせ、しかも該接触スイッチ３は押圧スイッチである。
【００２３】
該底台４上には複数の第二位置制限部品４１を設置し、２個の異なる軸方向のＸ、Ｙにより排列し、該各軸方向Ｘ、Ｙにはそれぞれ少なくとも１個の第二位置制限部品４１を設置する。
【００２４】
該複数の平衡部品２は２個の異なる軸方向のＸ、Ｙ上に分布し、該各平衡部品２は逆Ｕ字型を呈する部品である。その上端の長棒２１と末端の突出端２２はそれぞれ該第一位置制限部品１３と該第二位置制限部品４１中に係合し、該第一、二位置制限部品１３、４１中には少なくとも１個の水平溝槽Ｂ１を備える。これにより該平衡部品２は該押圧平板１に平行にスライド移動を行う。
【００２５】
上記部品の組成により、該平衡部品２の長棒２１を利用し、該押圧平板１の底面２の第一位置制限部品１３に係合し、その末端の突出端２２は該底台４の第二位置制限部品４１に係合し、双軸方向Ｘ、Ｙの分布を呈する。図４に示すように指が下圧する時、該押圧平板１はそれに従い該接触スイッチ３と該平衡部品２を下圧し、これにより該各平衡部品２は傾斜する。しかも該第二位置制限部品４１はスライド移動係合槽Ｂとなり、水平溝槽Ｂ１を備えるため、該突出端２２はその内部においてスライド移動を行う。さらに該複数の平衡部品２は双軸方向Ｘ、Ｙを呈し分布するため、該押圧平板１の力量全体は、下圧力量を均一に分布させることができる。こうして使用者の指が該押圧平板１に圧力を加える時、押した位置がどうであろうと、該押圧平板１は該接触スイッチ３を安定的に垂直押圧し続けることができ、しかも揺れの現象も発生せず、キーボード装置Ｅは正確な出力信号の作動を行うことができる。指の下圧力量が消失すると、該接触スイッチ３は外力の作用を受けなくなるが、それは弾性部品であるため元の形状を回復する弾力を備え、しかも該頂点部３１は常態的に該押圧平板１を押し上げるため、該押圧平板１は上方へと戻る（図３参照）。
【００２６】
上記本発明の複数の平衡部品２は、双軸方向Ｘ、Ｙ分布により「十」字型交差を呈し排列し、しかもその交差位置の２個の平衡部品２中の少なくとも１個の平衡部品２は少なくとも１個の凹部２３を備える。これにより該各平衡部品２は同一平面上において作動し、相互に干渉しない（図１、図２、図３、図４参照）。
【００２７】
また上記本発明の押圧平板１の底面１２に設置する複数の第一位置限定部品１３中の少なくとも１個は定点係合槽Ａで、それは陥没する位置制限部Ａ１を備える。これにより該平衡部品２の長棒２１はその内部に係合し、回転作動の位置限定を行う。
【００２８】
また上記本発明の底台４の上に設置する複数の第二位置限定部品４１中の少なくとも１個はスライド移動係合槽Ｂで、それは水平溝槽Ｂ１を備える。これにより該平衡部品２の突出端２２はその内部に係合し、スライド移動を行う。
【００２９】
図５に示すように、本発明の第二実施例では、該押圧平板１の底面１２に設置する複数の第一位置制限部品１３は、２個の異なる軸方向Ｘ、Ｙにより分布するＬ字型の排列を呈する。こうして複数の平衡部品２の上端の長棒２１に対応し、該複数の第一位置制限部品１３中の定点係合槽Ａに係合する。しかも該接触スイッチ３は常態的に該押圧平板１の底面１２を押し上げ、該平衡部品２両側の突出端２２は該底台４の複数の第二位置制限部品４１中のスライド移動係合槽Ｂに係合し、押圧を受け、該スライド移動係合槽Ｂの水平溝槽Ｂ１内において前後にスライド移動を行う（図６、図７参照）。その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３０】
図８、図９、図１０に示すように、本発明の第三実施例では、該押圧平板１の底面１２に設置する第一位置制限部品１３はスライド移動係合槽Ｂで、それは水平溝槽Ｂ１を備える。こうして少なくとも１個の平衡部品２の末端の突出端２２はその内部に係合し、スライド移動を行うことができる。該底台４上に設置する第二位置制限部品４１は定点係合槽Ａで、それは陥没した位置制限部Ａ１を備え、これにより該平衡部品２の上端の長棒２１はその内部に係合し、回転作業の位置制限を行うことができる。こうして該タッチボタンＥ１の総重量を均一に分担する。この他、該複数の第一位置制限部品１３及び該複数の第二位置制限部品４１は２個の異なる軸方向Ｘ、Ｙにより排列し、該複数の平衡部品２は対応交差しＬ字型分布を呈する。該平衡部品２は凹圧を受け、前後にスライド移動し、その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３１】
図１１、図１２、図１３に示すように、本発明の第四実施例では、該押圧平板１の底面１２には複数の第一位置制限部品１３を設置する。該複数の第一位置制限部品１３中には１個以上の定点係合槽Ａ及び１個以上のスライド移動係合槽Ｂを含み、該底台４に対応し複数の第二位置制限部品４１を設置する。該各複数の第二位置制限部品４１中には１個以上の定点係合槽Ａ及び１個以上のスライド移動係合槽Ｂを含み、２個の異なる軸方向Ｘ、Ｙにより分布し、該複数の平衡部品２はＬ字型排列を呈し、該第一、第二位置制限部品１３、４１に係合する。その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３２】
図１４、図１５、図１６に示すように、本発明の第五実施例では、該押圧平板１の底面１２には複数の第一位置制限部品１３を設置する。該第一位置制限部品１３は１個以上の定点係合槽Ａ及び１個以上のスライド移動係合槽Ｂを含み、該底台４に対応し複数の第二位置制限部品４１を設置する。該各第二位置制限部品４１は１個以上の定点係合槽Ａ及び１個以上のスライド移動係合槽Ｂを含み、２個の異なる軸方向Ｘ、Ｙにより分布し、それと対応する３個の平衡部品２はＨ字型排列を呈する。その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３３】
図１７、図１８、図１９に示すように、本発明の第六実施例では、該押圧平板１の底面１２には複数の第一位置制限部品１３を設置する。該複数の第一位置制限部品１３は１個以上の定点係合槽Ａを含み、該底台４に対応し複数の第二位置制限部品４１を設置する。該各複数の第二位置制限部品４１は１個以上のスライド移動係合槽Ｂを含み、２個の異なる軸方向Ｘ、Ｙにより分布し井の字型を呈し排列し、それと対応する複数の平衡部品２を係合させる。並びに、双軸方向Ｘ、Ｙにより分布する井の字型の交差排列により、しかもその交差位置の複数の平衡部品２中の少なくとも１個の平衡部品２は複数の凹部２３を備える。これにより作動時の相互干渉を回避し、しかも押圧を受け、前後にスライド移動を行う。その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３４】
図２０、図２１、図２２に示すように、本発明の第七実施例では、該押圧平板１の底面１２には複数の第一位置制限部品１３を設置する。該複数の第一位置制限部品１３は１個以上の定点係合槽Ａ及び１個以上のスライド移動係合槽Ｂを含み、該底台４に対応し複数の第二位置制限部品４１を設置する。該複数の第二位置制限部品４１は１個以上の定点係合槽Ａ及び１個以上のスライド移動係合槽Ｂを含み、２個の異なる軸方向Ｘ、Ｙにより井の字型を呈し排列し、対応する該複数の平衡部品２は係合作動する。その作動は、上記実施例と同様である。これにより該複数の平衡部品２を利用し、双軸方向のスライド移動を達成し、下圧力量を均一に分布させ、該押圧平板１は安定的な垂直上下を保持し、該接触スイッチ３を触動することができる。
【００３５】
上記のように、本発明の構造はシンプルで、組立ては便利で、さらにボタンは接触スイッチを安定的に垂直に押圧することができ、しかも異なる位置を押圧すると異なる出力信号を発生することができ、伝統的なキーボードの機能に取って代わることができる。よって、本発明は特に実用性に優れた進歩性を備え、公知構造に存在する欠点を解決することができる。
【図面の簡単な説明】
【００３６】
【図１】本発明キーボード装置の平面図である。
【図２】本発明の立体分解図である。
【図３】本発明の作動断面図（一）である。
【図４】本発明の作動断面図（二）である。
【図５】本発明第二実施例の立体分解図である。
【図６】本発明第二実施例の作動断面図（一）である。
【図７】本発明第二実施例の作動断面図（二）である。
【図８】本発明第三実施例の立体分解図である。
【図９】本発明第三実施例の作動断面図（一）である。
【図１０】本発明第三実施例の作動断面図（二）である。
【図１１】本発明第四実施例の立体分解図である。
【図１２】本発明第四実施例の作動断面図（一）である。
【図１３】本発明第四実施例の作動断面図（二）である。
【図１４】本発明第五実施例の立体分解図である。
【図１５】本発明第五実施例の作動断面図（一）である。
【図１６】本発明第五実施例の作動断面図（二）である。
【図１７】本発明第六実施例の立体分解図である。
【図１８】本発明第六実施例の作動断面図（一）である。
【図１９】本発明第六実施例の作動断面図（二）である。
【図２０】本発明第七実施例の立体分解図である。
【図２１】本発明第七実施例の作動断面図（一）である。
【図２２】本発明第七実施例の作動断面図（二）である。
【符号の説明】
【００３７】
Ａ  定点係合槽
Ａ１  位置制限部
Ｂ  スライド移動係合槽
Ｂ１  水平溝槽
Ｅ  キーボード装置
Ｅ１  タッチボタン
１  押圧平板
１１  タッチパネル
１１１  押圧区
１２  底面
１３  第一位置制限部品
２  複数の平衡部品
２１  長棒
２２  突出端
２３  凹部
３  接触スイッチ
３０  弾性圧迫空間
３１  頂点部
４  底台
４１  第二位置制限部品
【図１】
0004663753.tif 000002
【図２】
0004663753.tif 000003
【図３】
0004663753.tif 000004
【図４】
0004663753.tif 000005
【図５】
0004663753.tif 000006
【図６】
0004663753.tif 000007
【図７】
0004663753.tif 000008
【図８】
0004663753.tif 000009
【図９】
0004663753.tif 000010
【図１０】
0004663753.tif 000011
【図１１】
0004663753.tif 000012
【図１２】
0004663753.tif 000013
【図１３】
0004663753.tif 000014
【図１４】
0004663753.tif 000015
【図１５】
0004663753.tif 000016
【図１６】
0004663753.tif 000017
【図１７】
0004663753.tif 000018
【図１８】
0004663753.tif 000019
【図１９】
0004663753.tif 000020
【図２０】
0004663753.tif 000021
【図２１】
0004663753.tif 000022
【図２２】
0004663753.tif 000023